(57)【特許請求の範囲】
【請求項１】
装着者の胴回りのうち当該装着者の腹側を覆う前側胴回り部と、当該装着者の背側を覆う後側胴回り部とを有する紙おむつであって、
前記前側胴回り部のうち、当該装着者の腰回りにあたる部分及び脚回りにあたる部分のいずれにも該当しない部分のみにおいて、当該前側胴回り部から前記後側胴回り部へ向かう長さ方向に略直交する方向である幅方向に沿って複数設けられたものであって、当該前側胴回り部を伸縮させるための前側伸縮部材と、
前記後側胴回り部のうち、当該装着者の腰回りにあたる部分及び脚回りにあたる部分のいずれにも該当しない部分のみにおいて、当該後側胴回り部の前記幅方向に沿って複数設けられたものであって、当該後側胴回り部を伸縮させるための後側伸縮部材とを備え、
前記複数の前側伸縮部材の合計の伸長応力が前記複数の後側伸縮部材の合計の伸長応力と略等しくなるように、かつ、前記前側伸縮部材の本数が前記後側伸縮部材の本数よりも多くなるように、当該複数の前側伸縮部材及び当該複数の後側伸縮部材を配置し、
前記複数の前側伸縮部材ごとの間隔、又は前記複数の後側伸縮部材ごとの間隔を不均等にし、
前記前側伸縮材の中の前記長さ方向の両端に位置する２つの前側伸縮材と、前記後側伸縮材の中の前記長さ方向の両端に位置する２つの後側伸縮材とを、相互に対応する位置に配置した、
紙おむつ。
【請求項２】
前記複数の前側伸縮部材の中の少なくとも一つの太さを、前記複数の後側伸縮部材の太さよりも細くした、
請求項１に記載の紙おむつ。
【請求項３】
前記複数の後側伸縮部材の中の少なくとも一つの伸度を、前記複数の前側伸縮部材の伸度よりも大きくした、
請求項１又は２に記載の紙おむつ。
【請求項４】
透過性シートと、不透過性シートと、これら透過性シートと不透過性シートとの相互間に配置された吸収体とを備え、
前記複数の前側伸縮部材の少なくとも一つ又は前記複数の後側伸縮部材の少なくとも一つが前記吸収体の一部と重なるように、当該複数の前側伸縮部材及び当該複数の後側伸縮部材を配置した、
請求項１から３のいずれか一項に記載の紙おむつ。
【発明の詳細な説明】
【技術分野】
【０００１】
本発明は、紙おむつに関する。
【背景技術】
【０００２】
従来から、装着者に対する装着性を高めるための様々な紙おむつが提案されている。例えば、特許文献１には、紙おむつにおける装着者の胴回りに位置する胴回り部に設けられた弾性部材によって、装着者の胴回りが締め付けられることで、紙おむつの密着性を向上することができるパンツ形状の紙おむつが開示されている。このパンツ形状の紙おむつにおいては、装着者の背側に位置する背側胴回り部に背側弾性部材が複数設けられており、装着者の腹側に位置する腹側胴回り部に腹側弾性部材が複数設けられている。また、背側弾性部材の本数が腹側弾性部材の本数よりも多くなるように、当該複数の背側弾性部材及び当該複数の腹側弾性部材が配置されている。
【０００３】
このパンツ形状の紙おむつによれば、背側弾性部材の本数を腹側弾性部材の本数よりも多くしたことで、装着者の腹側よりも装着書の背側を強く締め付けることができ、装着者の背側との密着性を向上できると共に、装着者の腹側の圧迫を防止できる。
【先行技術文献】
【特許文献】
【０００４】
【特許文献１】国際公開第ＷＯ２００４／０５４４８２号公報
【発明の概要】
【発明が解決しようとする課題】
【０００５】
しかしながら、このような従来の紙おむつにおいては、装着性に関して改善の余地があった。例えば、背側弾性部材の本数よりも腹側弾性部材の本数が少ないので、装着者の腹側の締め付けが弱くなり、排泄後の紙おむつの重量増加に伴って、腹側胴回り部のずり落ちが生じる可能性があった。また、背側弾性部材ごとの間隔が腹側弾性部材ごとの間隔よりも狭いので、背側胴回り部の肌触りが腹側胴回り部に比べて悪くなるという問題があった。特に、装着者が寝ている時には、装着者の背側と背側胴回り部とが密着している時間が長くなるので、このことが、背側弾性部材による皮膚のかぶれを引き起こす一因となっていた。
【０００６】
本発明は、上記に鑑みてなされたものであって、装着者に対する装着性を高めることができる、紙おむつを提供することを目的とする。
【課題を解決するための手段】
【０００７】
上述した課題を解決し、目的を達成するために、請求項１に記載の紙おむつは、装着者の胴回りのうち当該装着者の腹側を覆う前側胴回り部と、当該装着者の背側を覆う後側胴回り部とを有する紙おむつであって、前記前側胴回り部のうち、当該装着者の腰回りにあたる部分及び脚回りにあたる部分のいずれにも該当しない部分のみにおいて、当該前側胴回り部から前記後側胴回り部へ向かう長さ方向に略直交する方向である幅方向に沿って複数設けられたものであって、当該前側胴回り部を伸縮させるための前側伸縮部材と、前記後側胴回り部のうち、当該装着者の腰回りにあたる部分及び脚回りにあたる部分のいずれにも該当しない部分のみにおいて、当該後側胴回り部の前記幅方向に沿って複数設けられたものであって、当該後側胴回り部を伸縮させるための後側伸縮部材とを備え、前記複数の前側伸縮部材の合計の伸長応力が前記複数の後側伸縮部材の合計の伸長応力と略等しくなるように、かつ、前記前側伸縮部材の本数が前記後側伸縮部材の本数よりも多くなるように、当該複数の前側伸縮部材及び当該複数の後側伸縮部材を配置し、前記複数の前側伸縮部材ごとの間隔、又は前記複数の後側伸縮部材ごとの間隔を不均等にし、前記前側伸縮材の中の前記長さ方向の両端に位置する２つの前側伸縮材と、前記後側伸縮材の中の前記長さ方向の両端に位置する２つの後側伸縮材とを、相互に対応する位置に配置した。
【０００８】
また、請求項２に記載の紙おむつは、請求項１に記載の紙おむつにおいて、前記複数の前側伸縮部材の中の少なくとも一つの太さを、前記複数の後側伸縮部材の太さよりも細くする。
【０００９】
また、請求項３に記載の紙おむつは、請求項１又は２に記載の紙おむつにおいて、前記複数の後側伸縮部材の中の少なくとも一つの伸度を、前記複数の前側伸縮部材の伸度よりも大きくする。
【００１０】
また、請求項４に記載の紙おむつは、請求項１から３のいずれか一項に記載の紙おむつにおいて、透過性シートと、不透過性シートと、これら透過性シートと不透過性シートとの相互間に配置された吸収体とを備え、前記複数の前側伸縮部材の少なくとも一つ又は前記複数の後側伸縮部材の少なくとも一つが前記吸収体の一部と重なるように、当該複数の前側伸縮部材及び当該複数の後側伸縮部材を配置する。
【発明の効果】
【００１３】
請求項１に記載の紙おむつによれば、複数の前側伸縮部材の合計の伸長応力が複数の後側伸縮部材の合計の伸長応力と略等しくなるように、当該複数の前側伸縮部材及び当該複数の後側伸縮部材を配置したので、複数の前側伸縮部材及び複数の後側伸縮部材によって、装着者の背側と腹側を均等に締め付けることができ、排泄後の紙おむつの重量増加により、前側胴回り部又は後側胴回り部の一方がずり落ちることを防止することができる。また、前側伸縮部材の本数が後側伸縮部材の本数よりも多くなるように、当該複数の前側伸縮部材及び当該複数の後側伸縮部材を配置したので、後側伸縮部材ごとの間隔が前側伸縮部材ごとの間隔よりも大きくすることができ、後側胴回り部の肌触りを向上させることができる。特に、装着者が寝ている時に、装着者の背側と後側胴回り部とが密着している時間が長くなっても、後側伸縮部材ごとの間隔が前側伸縮部材ごとの間隔よりも大きいので、後側伸縮部材による皮膚のかぶれが起きにくくなる。
また、前側伸縮部材の中の紙おむつの長さ方向の両端に位置する２つの前側伸縮部材と、後側伸縮部材の中の紙おむつの長さ方向の両端に位置する２つの後側伸縮部材とを、相互に対応する位置に配置したので、紙おむつが組み立てられた時に、前側伸縮部材の中の紙おむつの長さ方向の両端に位置する２つの前側伸縮部材の一方と、後側伸縮部材の中の紙おむつの長さ方向の両端に位置する２つの後側伸縮部材の一方とが連続性を有することができ、かつ前側伸縮部材の中の紙おむつの長さ方向の両端に位置する２つの前側伸縮部材の他の一方と、後側伸縮部材の中の紙おむつの長さ方向の両端に位置する２つの後側伸縮部材の他の一方とが連続性を有することができ、前側胴回り伸縮部材の本数及び後側胴回り伸縮部材の本数にかかわらず、統一性のある外観を維持することができる。
また、複数の前側伸縮部材ごとの間隔、又は複数の後側伸縮部材ごとの間隔を不均等にしたので、前側胴回り部の各部位又は後側胴回り部の各部位ごとに、後側伸縮部材の間隔又は前側伸縮部材の間隔の大小をつけることができ、前側胴回り部又は後側胴回り部の所定部位の肌触りを一層向上させることができる。
【００１４】
また、請求項２に記載の紙おむつによれば、複数の前側伸縮部材の中の少なくとも一つの太さを、複数の後側伸縮部材の太さよりも細くしたので、装着者の背側に対する後側伸縮部材の一本あたりの負荷に比べて、装着者の腹側に対する前側伸縮部材の一本あたりの負荷を小さくすることができ、前側伸縮部材による装着者の腹側の圧迫を抑えることができる。
【００１５】
また、請求項３に記載の紙おむつによれば、複数の後側伸縮部材の中の少なくとも一つの伸度を、複数の前側伸縮部材の伸度よりも大きくしたので、装着者の背側に対する後側伸縮部材の一本あたりの負荷を小さくすることができ、後側伸縮部材による装着者の背側の圧迫を抑えることができる。
【００１６】
また、請求項４に記載の紙おむつによれば、複数の前側伸縮部材の少なくとも一つ又は複数の後側伸縮部材の少なくとも一つが吸収体の一部と重なるように、当該複数の前側伸縮部材及び当該複数の後側伸縮部材を配置したので、装着者が紙おむつを装着した時に、前側伸縮部材又は後側伸縮部材が引張られることにより、吸収体を締め付けることができ、吸収体を装着者の股間側に密着させることができる。
【図面の簡単な説明】
【００１９】
【図１】実施の形態１に係る紙おむつの構成を示す一部破断平面図である。
【図２】図１の紙おむつが組立てられた状態の正面図であり、（ａ）は腹側の正面図であり、（ｂ）は背側の正面図である。
【図３】図２の斜視図である。
【図４】変形例に係る紙おむつの構成を示す一部破断平面図である。
【図５】図４の紙おむつが組立てられた状態の斜視図である。
【図６】実施の形態２に係る紙おむつの構成を示す一部破断平面図である。
【図７】図６の紙おむつが組立てられた状態の斜視図である。
【図８】変形例に係る紙おむつの構成を示す一部破断平面図である。
【図９】図８の紙おむつが組立てられた状態の斜視図である。
【発明を実施するための形態】
【００２０】
以下、本発明に係る紙おむつの各実施の形態について図面を参照しつつ詳細に説明する。
を詳細に説明する。最初に、紙おむつの全体構成を説明し、次に、この紙おむつの製造方法について説明し、最後に各実施の形態に対する変形例について説明する。ただし、この実施の形態によって本発明が限定されるものではない。
【００２１】
〔実施の形態１〕
最初に、実施の形態１について説明する。この実施の形態１は、本発明の基本形態である。
【００２２】
（構成）
実施の形態１に係る紙おむつの適用対象又は種類は任意である。例えば、紙おむつの適用対象としては、幼児用紙おむつ、大人用紙おむつ、ペット用紙おむつ等が挙げられる。また、紙おむつの種類としては、テープ型紙おむつ、パンツ型紙おむつ等が挙げられる。以下では、装着する対象者を大人として、排泄物（尿や便）を捕捉するために着用される大人用のパンツ型紙おむつ（以下、紙おむつと称す）に適用した場合を例として説明を行う。
【００２３】
図１は、実施の形態１に係る紙おむつの構成を示す一部破断平面図である。図２は、図１の紙おむつが組立てられた状態の正面図であり、（ａ）は腹側の正面図であり、（ｂ）は背側の正面図である。図３は、図２の斜視図である。なお、以下の説明では、図１のＸ方向を幅方向、Ｙ方向を長さ方向、図１に示す形状を平面形状、図１に示す形状をＸ方向又はＹ方向から見た形状を側面形状とする。図１に示すように、紙おむつ１は、紙おむつ本体１０を備えて構成されている。
【００２４】
（構成−紙おむつ本体）
紙おむつ本体１０は、紙おむつ１の基本構造体である。この紙おむつ本体１０は、外装シート２０、吸収性本体３０、伸縮材４０を備えて構成されている。以下では、説明の都合上、紙おむつ本体１０を２つの領域に区分して説明する。具体的には、この紙おむつ本体１０は、Ｘ方向に沿った区分面であって、紙おむつ本体１０のＹ方向の略中央位置を通る区分面を境界として、装着者の腹側を覆う前側胴回り部１０ａと、装着者の背側を覆う後側胴回り部１０ｂとに区分する。ただし、この区分は、概念的なものであって物理的なものではなく、これら前側胴回り部１０ａと後側胴回り部１０ｂは相互に境目のない一体的なものとして形成されている。
【００２５】
（構成−紙おむつ本体−外装シート）
外装シート２０は、吸収性本体３０を保持するための保持手段である。この外装シート２０は、平面形状を略砂時計形状とする板状体であり、紙おむつ本体１０の前側胴回り部１０ａ及び後側胴回り部１０ｂに渡って設けられている。この外装シート２０は、内側シート２１、外側シート２２、及び接続部２３を備えて構成されている。
【００２６】
（外装シートの構成−内側シート）
内側シート２１は、紙おむつ１を装着した時に、装着者の肌に当たるシートである。この内側シート２１は、平面形状を略砂時計形状とする板状体である。この内側シート２１は、液状の排泄物を透過しない、かつ、通気性を有する材質、例えば、ポリエチレン等の合成樹脂材等で形成されている。なお、内側シート２１は、肌触りの良い材質であることが好ましく、例えば、液状の排泄物を透過する材質である、綿等の天然繊維の不織布シート等で形成されてもよい。
【００２７】
（外装シートの構成−外側シート）
外側シート２２は、紙おむつ本体１０の外部を覆うシートである。この外側シート２２は、平面形状を内側シート２１と相似形状（略砂時計形状）とする板状体であり、紙おむつ本体１０の前側胴回り部１０ａ及び後側胴回り部１０ｂに渡って設けられており、内側シート２１に対して少なくともその一部を接着剤又は溶着等によって固定されている。この外側シート２２は、液状の排泄物を透過しない、かつ、通気性を有する材質、例えば、ポリエチレン等の合成樹脂材等で形成されている。
【００２８】
（外装シートの構成−接続部）
接続部２３は、紙おむつ１の組立の際に、紙おむつ本体１０の前側胴回り部１０ａと後側胴回り部１０ｂとを接続するための接続手段である。この接続部２３は、平面形状が方形状の板状体であり、紙おむつ本体１０のくびれていない部分に設けられたものであって、紙おむつ本体１０の前側胴回り部１０ａにおけるＸ方向の両端部、又は後側胴回り部１０ｂにおけるＸ方向の両端部に設けられており、内側シート２１又は外側シート２２に対して接着剤又は溶着等によって固定されている。この接続部２３の材質は任意であるが、例えば、ポリエチレン等の合成樹脂材等で構成することができる。
【００２９】
（構成−紙おむつ本体−吸収性本体）
吸収性本体３０は、紙おむつ１において液状の排泄物を吸収する吸収部である。この吸収性本体３０は、外装シート２０の内側シート２１側の側面に設けられており、バックシート３１、トップシート３２、吸収体３４、フラップ３３、及びフラップ伸縮材３３ａを備えて構成されている。
【００３０】
（吸収性本体の構成−バックシート）
バックシート３１は、液状の排泄物を透過しない透過手段である。このバックシート３１は、平面形状を略方形状とする板状体であり、外装シート２０の平面形状よりも小さい平面形状で形成されている。このバックシート３１は、紙おむつ本体１０の前側胴回り部１０ａ及び後側胴回り部１０ｂに渡って設けられており、外装シート２０の内側シート２１に対して少なくともその一部を接着剤又は溶着等によって固定されている。このバックシート３１は、液状の排泄物を透過しない材質、例えば、ポリエチレン等の合成樹脂材等で形成されている。
【００３１】
（吸収性本体の構成−トップシート）
トップシート３２は、液状の排泄物を透過する透過手段である。このトップシート３２は、平面形状をバックシート３１と相似形状（略方形状）とする板状体であり、紙おむつ本体１０の前側胴回り部１０ａ及び後側胴回り部１０ｂに渡って設けられており、トップシート３２に対して少なくともその一部を接着剤又は溶着等によって固定されている。このトップシート３２は、液状の排泄物を透過する材質、例えば、綿等の天然繊維の不織布シートで形成されている。
【００３２】
（吸収性本体の構成−吸収体）
吸収体３４は、トップシート３２を透過した液状の排泄物を吸収する吸収手段である。この吸収体３４は、平面形状を略砂時計形状とする板状体であり、吸収性本体３０の前側胴回り部１０ａ及び後側胴回り部１０ｂに渡って設けられている。この吸収体３４は、バックシート３１とトップシート３２との相互間に挟持されており、バックシート３１又はトップシート３２に対して少なくともその一部を接着剤又は溶着等によって固定されている。この吸収体３４は、液状の排泄物を吸収する材質、例えば、高分子ポリマー等の吸水材で形成されている。
【００３３】
（吸収性本体の構成−フラップ）
フラップ３３は、排泄物が紙おむつ本体１０外に漏洩することを防止する漏洩防止手段である。このフラップ３３は、側面形状を略方形状又は略コ字形状とするもので、吸収性本体３０の長手方向及び短手方向に沿って設けられている。また、このフラップ３３は、トップシート３２におけるＹ方向の両端部に配置されており、トップシート３２に対して少なくともその一部を接着剤又は溶着等によって固定されている。このフラップ３３は、液状の排泄物を透過しない材質、例えば、ポリエチレン等の合成樹脂材等で形成されている。
【００３４】
（吸収性本体の構成−フラップ伸縮材）
また、このフラップ３３には、フラップ伸縮材３３ａが設けられている。フラップ伸縮材３３ａは、フラップ３３を装着者にフィットさせるために、フラップ３３を伸縮させるためのフラップ伸縮手段である。このフラップ伸縮材３３ａは、ゴム材等の弾性部材で形成された略細長の線状体又は棒状体であり、フラップ３３に対して接着剤又は溶着等により固定されている。
【００３５】
（構成−紙おむつ本体−伸縮材）
伸縮材４０は、紙おむつ１を伸縮させるための伸縮手段である。この伸縮材４０は、天然ゴムや合成ゴム等の弾性部材で形成された略細長の線状体又は棒状体であり、内側シート２１と外側シート２２の相互間に配置され、当該伸縮材４０を伸長させた状態で内側シート２１又は外側シート２２に対して接着剤又は溶着等により固定されている。この伸縮材４０は、腰回り伸縮材４１、脚回り伸縮材４２、及び胴回り伸縮材４３を備えて構成されている。
【００３６】
（伸縮材の構成−腰回り伸縮材）
腰回り伸縮材４１は、紙おむつ本体１０における装着者の腰回りにあたる部分を伸縮させるためのものである。腰回り伸縮材４１は、前側腰回り伸縮材４１ａ及び後側腰回り伸縮材４１ｂを備えて構成されている。
【００３７】
前側腰回り伸縮材４１ａは、紙おむつ本体１０の前側胴回り部１０ａにおける装着者の腹側腰回りにあたる部分を伸縮させるためのものである。この前側腰回り伸縮材４１ａは、紙おむつ本体１０の前側胴回り部１０ａにおける後側胴回り部１０ｂ側の端部（すなわち、紙おむつ本体１０のＹ方向中央部）とは反対側の端部周辺に複数設けられており、当該前側胴回り部１０ａのＸ方向における一方の端部から他方の端部に至るように連続状に配置されている。
【００３８】
後側腰回り伸縮材４１ｂは、紙おむつ本体１０の後側胴回り部１０ｂにおける装着者の背側腰回りにあたる部分を伸縮させるためのものである。この後側腰回り伸縮材４１ｂは、紙おむつ本体１０の後側胴回り部１０ｂにおける前側胴回り部１０ａ側の端部（すなわち、紙おむつ本体１０のＹ方向中央部）とは反対側の端部周辺に複数設けられており、当該後側胴回り部１０ｂのＸ方向における一方の端部から他方の端部に至るように連続状に配置されている。
【００３９】
（伸縮材の構成−脚回り伸縮材）
脚回り伸縮材４２は、紙おむつ本体１０における装着者の脚回りにあたる部分を伸縮させるためのものである。脚回り伸縮材４２は、前側脚回り伸縮材４２ａ及び後側脚回り伸縮材４２ｂを備えて構成されている。
【００４０】
前側脚回り伸縮材４２ａは、紙おむつ本体１０の前側胴回り部１０ａにおける装着者の脚回りにあたる部分を伸縮させるためのものである。この前側脚回り伸縮材４２ａは、紙おむつ本体１０の前側胴回り部１０ａにおける略砂時計形状のくびれ部分とくびれ部分でない部分との境界位置から後側胴回り部１０ｂ側の端部（すなわち、紙おむつ本体１０のＹ方向中央部）に至る領域内に複数設けられている。また、前側脚回り伸縮材４２ａの一部が紙おむつ本体１０の前側胴回り部１０ａにおけるＸ方向の両端部に略沿うように、かつ、前側脚回り伸縮材４２ａの他の一部が吸収性本体３０を横断するように、この前側脚回り伸縮材４２ａは連続状かつ略湾曲状に配置されている。
【００４１】
後側脚回り伸縮材４２ｂは、紙おむつ本体１０の後側胴回り部１０ｂにおける装着者の脚回りにあたる部分を伸縮させるためのものである。この後側脚回り伸縮材４２ｂは、紙おむつ本体１０の後側胴回り部１０ｂにおける略砂時計形状のくびれ部分とくびれ部分でない部分との境界位置から前側胴回り部１０ａ側の端部（すなわち、紙おむつ本体１０のＹ方向中央部）に至る領域内に複数設けられている。また、後側脚回り伸縮材４２ｂの一部が紙おむつ本体１０の後側胴回り部１０ｂにおけるＸ方向の端部に略沿うように、かつ、後側脚回り伸縮材４２ｂの他の一部が吸収性本体３０を横断するように、この後側脚回り伸縮材４２ｂは連続状かつ略湾曲状に配置されている。ここで、後側脚回り伸縮材４２ｂの他の一部の配置位置は任意であるが、例えば、当該後側脚回り伸縮材４２ｂの他の一部は、紙おむつ本体１０の後側胴回り部１０ｂにおける前側胴回り部１０ａ側の端部近傍（すなわち、紙おむつ本体１０のＹ方向中央近傍）を横断するように配置されている。これにより、紙おむつ本体１０の後側胴回り部１０ｂと装着者の脚側との密着性を向上することができ、排泄後の紙おむつ１の重量増加に伴って、紙おむつ本体１０の後側胴回り部１０ｂがずり落ちることを防止することができる。
【００４２】
（伸縮材の構成−胴回り伸縮材）
胴回り伸縮材４３は、紙おむつ本体１０の前側胴回り部１０ａ又は後側胴回り部１０ｂを伸縮させるためのものである。胴回り伸縮材４３は、前側胴回り伸縮材４３ａ及び後側胴回り伸縮材４３ｂを備えて構成されている。
【００４３】
前側胴回り伸縮材４３ａは、紙おむつ本体１０の前側胴回り部１０ａを伸縮させるための前側伸縮部材である。この前側胴回り伸縮材４３ａは、紙おむつ本体１０の前側胴回り部１０ａにおける略砂時計形状のくびれ部分とくびれ部分でない部分との境界位置から後側胴回り部１０ｂ側の端部（すなわち、紙おむつ本体１０のＹ方向中央部）とは反対側の端部に至る領域内に複数設けられており、当該前側胴回り部１０ａにおけるＸ方向に略沿うように連続状に配置されている。
【００４４】
後側胴回り伸縮材４３ｂは、紙おむつ本体１０の後側胴回り部１０ｂを伸縮させるための後側伸縮部材である。この後側胴回り伸縮材４３ｂは、紙おむつ本体１０の後側胴回り部１０ｂにおける略砂時計形状のくびれ部分とくびれ部分でない部分との境界位置から前側胴回り部１０ａ側の端部（すなわち、紙おむつ本体１０のＹ方向中央部）とは反対側の端部に至る領域内に複数設けられており、当該後側胴回り部１０ｂにおけるＸ方向に略沿うように連続状に配置されている。
【００４５】
（前側胴回り伸縮材と後側胴回り伸縮材の相互関係）
次に、前側胴回り伸縮材４３ａと後側胴回り伸縮材４３ｂの相互関係について説明する。以下では、前側胴回り伸縮材４３ａと後側胴回り伸縮材４３ｂの本数、伸長応力、太さ、伸度、配置、及び吸収体３４との配置に関する相互関係について説明する。ここで、図１に示すように、紙おむつ本体１０の前側胴回り部１０ａにおける後側胴回り部１０ｂ側の端部（すなわち、紙おむつ本体１０のＹ方向中央部）とは反対側の端部からＹ方向に沿って所定距離離れた位置に仮想基準位置Ａと、仮想基準位置Ａよりも紙おむつ本体１０の後側胴回り部１０ｂ側に位置する仮想基準位置Ｂとがあるものと想定する。また、紙おむつ本体１０の後側胴回り部１０ｂにおける前側胴回り部１０ａ側の端部（すなわち、紙おむつ本体１０のＹ方向中央部）とは反対側の端部からＹ方向に沿って所定距離離れた位置に仮想基準位置Ｃと、仮想基準位置Ｃよりも紙おむつ本体１０の前側胴回り部１０ａ側に位置する仮想基準位置Ｄとがあるものと想定する。そして、図２、３に示すように、紙おむつ１が組み立てられた時に、仮想基準位置Ａが仮想基準位置Ｃと対応するように位置し、仮基準位置Ｂが仮想基準位置Ｄと対応するように位置する。
【００４６】
まず、前側胴回り伸縮材４３ａと後側胴回り伸縮材４３ｂの本数については、前側胴回り伸縮材４３ａの本数が後側胴回り伸縮材４３ｂの本数よりも多くなるように、複数の前側胴回り伸縮材４３ａ及び複数の後側胴回り伸縮材４３ｂが配置されている。例えば、図１に示すように、前側胴回り伸縮材４３ａは１２本配置されており、後側胴回り伸縮材４３ｂは６本配置されている。これにより、紙おむつ本体１０の後側胴回り部１０ｂのほうが前側胴回り部１０ａに比べて、装着者の背側と外装シート２０との接触面積を増やすことができ、紙おむつ本体１０の後側胴回り部１０ｂの肌触りを向上させることができる。特に、装着者が寝ている時に、装着者の背側と紙おむつ本体１０の後側胴回り部１０ｂとが密着している時間が長くなっても、後側胴回り伸縮材４３ｂごとの間隔が前側胴回り伸縮材４３ａごとの間隔よりも大きいので、後側胴回り伸縮材４３ｂによる皮膚のかぶれが起きにくくなる。
【００４７】
また、前側胴回り伸縮材４３ａと後側胴回り伸縮材４３ｂの伸長応力については、複数の前側胴回り伸縮材４３ａの合計の伸長応力が複数の後側胴回り伸縮材４３ｂの合計の伸長応力と略等しくなるように、複数の前側胴回り伸縮材４３ａ及び複数の後側胴回り伸縮材４３ｂが配置されている。ここで、前側胴回り伸縮材４３ａと後側胴回り伸縮材４３ｂとの伸長応力を等しくする方法としては、例えば、図１に示すように、前側胴回り伸縮材４３ａの本数が１２本、後側胴回り伸縮材４３ｂの本数が６本の場合に、前側胴回り伸縮材４３ａを内側シート２１又は外側シート２２に固定する際の前側胴回り伸縮材４３ａの１本あたりの伸長量を、後側胴回り伸縮材４３ｂの１本あたりの伸長量よりも小さくする。これにより、前側胴回り伸縮材４３ａの本数が後側胴回り伸縮材４３ｂの本数よりも多い場合でも、装着者の背側と腹側を均等に締め付けることができ、排泄後の紙おむつ１の重量増加に伴って、紙おむつ本体１０の前側胴回り部１０ａ又は後側胴回り部１０ｂの一方がずり落ちることを防止することができる。
【００４８】
また、前側胴回り伸縮材４３ａと後側胴回り伸縮材４３ｂの太さについては、複数の前側胴回り伸縮材４３ａの中の少なくとも一つの太さは、複数の後側胴回り伸縮材４３ｂの太さよりも細くなっている。例えば、図１に示すように、前側胴回り伸縮材４３ａの本数が１２本、後側胴回り伸縮材４３ｂの本数が６本の場合には、後側胴回り伸縮材４３ｂの一本あたりの太さは９２０ｄｔｅｘとし、前側胴回り伸縮材４３ａの一本あたりの太さは６２０ｄｔｅｘとする。これにより、後側胴回り伸縮材４３ｂの一本あたりの伸長応力に比べて、前側胴回り伸縮材４３ａの一本あたりの伸長応力を小さくすることができ、前側胴回り伸縮材４３ａによる装着者の腹側の圧迫を抑えることができる。
【００４９】
また、前側胴回り伸縮材４３ａと後側胴回り伸縮材４３ｂの伸度については、複数の後側胴回り伸縮材４３ｂの中の少なくとも一つの伸度は、複数の前側胴回り伸縮材４３ａの伸度よりも大きくなっている。例えば、図１に示すように、前側胴回り伸縮材４３ａの本数が１２本、後側胴回り伸縮材４３ｂの本数が６本の場合には、前側胴回り伸縮材４３ａの一本あたりの伸度は１．５〜２．５とし、及び後側胴回り伸縮材４３ｂの一本あたりの伸度は２．０〜３．０とする。これにより、前側胴回り伸縮材４３ａの一本あたりの伸長応力に比べて、後側胴回り伸縮材４３ｂの一本あたりの伸長応力を小さくすることができ、後側胴回り伸縮材４３ｂによる装着者の背側の圧迫を抑えることができる。
【００５０】
また、前側胴回り伸縮材４３ａと後側胴回り伸縮材４３ｂの配置については、前側胴回り伸縮材４３ａの中のＹ方向の両端に位置する２つの前側胴回り伸縮材４３ａと、後側胴回り伸縮材４３ｂの中のＹ方向の両端に位置する２つの後側胴回り伸縮材４３ｂとが、相互に対応する位置に配置されている。例えば、図１に示すように、前側胴回り伸縮材４３ａの本数が１２本で後側胴回り伸縮材４３ｂの本数６本の場合には、複数の前側胴回り伸縮材４３ａの中のＹ方向の一方の端部に位置する１本の前側胴回り伸縮材４３ａは仮想基準位置Ａと対応する位置に配置されており、複数の前側胴回り伸縮材４３ａの中のＹ方向のもう一方の端部に位置する１本の前側胴回り伸縮材４３ａは仮想基準位置Ｂと対応する位置に配置されている。また、複数の後側胴回り伸縮材４３ｂの中のＹ方向の一方の端部に位置する１本の後側胴回り伸縮材４３ｂは仮想基準位置Ｃと対応する位置に配置されており、複数の後側胴回り伸縮材４３ｂの中のＹ方向の一方の端部に位置する１本の後側胴回り伸縮材４３ｂは仮想基準位置Ｄと対応する位置に配置されている。これにより、紙おむつ１の組立時に、仮想基準位置Ａに対応する前側胴回り伸縮材４３ａと仮想基準位置Ｃに対応する後側胴回り伸縮材４３ｂとが連続性を有すると共に、仮想基準位置Ｂに対応する前側胴回り伸縮材４３ａと仮想基準位置Ｄに対応する後側胴回り伸縮材４３ｂとも連続性を有するので、前側胴回り伸縮材４３ａの本数及び後側胴回り伸縮材４３ｂの本数にかかわらず、統一性のある外観を維持することができる。
【００５１】
また、前側胴回り伸縮材４３ａ又は後側胴回り伸縮材４３ｂと吸収体３４との配置については、複数の前側胴回り伸縮材４３ａの少なくとも一つ又は複数の後側胴回り伸縮材４３ｂの少なくとも一つが吸収体３４の一部と重なるように、当該複数の前側胴回り伸縮材４３ａ及び当該複数の後側胴回り伸縮材４３ｂが配置されている。例えば、図１に示すように、複数の前側胴回り伸縮材４３ａの中の後側胴回り部１０ｂ側の一本が吸収体３４の前側胴回り部１０ａ側の端部と重なる位置に配置されており、複数の後側胴回り伸縮材４３ｂの中の前側胴回り部１０ａ側の一本が吸収体３４の後側胴回り部１０ｂ側の端部と重なる位置に配置されている。これにより、装着者が紙おむつ１を装着した時に、前側胴回り伸縮材４３ａ又は後側胴回り伸縮材４３ｂが引張られることにより、吸収体３４が締め付けられるので、当該吸収体３４を装着者の股間側に密着させることができる。
【００５２】
（紙おむつの製造方法）
次に、上述した紙おむつ１の製造方法について説明する。この紙おむつ１の製造方法は、紙おむつ本体１０の製造工程と、紙おむつ１の組立工程とに大別される。
【００５３】
まず、紙おむつ本体１０の製造工程について説明する。紙おむつ本体１０の製造工程は、外装シート２０の製造工程と、吸収性本体３０の取付工程とに分けられる。外装シート２０の製造工程においては、最初に略砂時計形状の内側シート２１と外側シート２２との相互間に腰回り伸縮材４１、脚回り伸縮材４２、及び胴回り伸縮材４３を所定間隔ごとに配置する。次いで、これら腰回り伸縮材４１、脚回り伸縮材４２、及び胴回り伸縮材４３をそれぞれ伸長させた状態で、内側シート２１又は外側シート２２に対して接着剤又は溶着等により固定する。
【００５４】
ここで、図１に示すように、腰回り伸縮材４１の設置については、前側腰回り伸縮材４１ａ又は後側腰回り伸縮材４１ｂを、紙おむつ本体１０のＹ方向の端部に複数配置する。また、脚回り伸縮材４２の設置については、前側脚回り伸縮材４２ａ又は後側脚回り伸縮材４２ｂを、外装シート２０の略砂時計形状のくびれ部分に複数設け、前側脚回り伸縮材４２ａの一部又は後側脚回り伸縮材４２ｂの一部がＸ方向の端部に略沿うように、かつ、前側脚回り伸縮材４２ａの他の一部又は後側脚回り伸縮材４２ｂの他の一部が紙おむつ本体１０のＸ方向を横断するように、連続状かつ略湾曲状に配置する。また、胴回り伸縮材４３の設置については、前側胴回り伸縮材４３ａを、外装シート２０における前側腰回り伸縮材４１ａが設置されている側であって、当該外装シート２０の略砂時計形状のくびれ部分とくびれ部分でない部分との境界位置から後側胴回り部１０ｂ側の端部とは反対側の端部に至る領域内に複数設け、Ｘ方向に略沿うように連続状に配置する。また、後側胴回り伸縮材４３ｂを、外装シート２０における後側腰回り伸縮材４１ｂが設置されている側であって、当該外装シート２０の略砂時計形状のくびれ部分とくびれ部分でない部分との境界位置から前側胴回り部１０ａ側の端部とは反対側の端部に至る領域内に複数設け、Ｘ方向に略沿うように連続状に配置する。
【００５５】
さらに、胴回り伸縮材４３の設置については、複数の前側胴回り伸縮材４３ａの合計の伸長応力と複数の後側胴回り伸縮材４３ｂの合計の伸長応力とが略等しくなるように、前側胴回り伸縮材４３ａ又は後側胴回り伸縮材４３ｂをそれぞれの一本あたりの所定の伸長量に基づいて伸長させる。また、前側胴回り伸縮材４３ａの中のＹ方向の両端に位置する２本の前側胴回り伸縮材４３ａと、後側胴回り伸縮材４３ｂの中のＹ方向の両端に位置する２本の後側胴回り伸縮材４３ｂとを、相互に対応する位置に配置する（図１に示すように、１本の前側胴回り伸縮材４３ａを仮想基準位置Ａに配置し、もう１本の前側胴回り伸縮材４３ａを仮想基準位置Ｂに配置する。また、１本の後側胴回り伸縮材４３ｂを仮想基準位置Ｃに配置し、もう１本の前側胴回り伸縮材４３ａを仮想基準位置Ｄに配置する。）。また、複数の前側胴回り伸縮材４３ａの少なくとも一つ又は複数の後側胴回り伸縮材４３ｂの少なくとも一つが吸収体３４の一部と重なるように、当該複数の前側胴回り伸縮材４３ａ及び当該複数の後側胴回り伸縮材４３ｂを配置する（図１に示すように、仮想基準位置Ｂに配置された１本の前側胴回り伸縮材４３ａと、仮想基準位置Ｄに配置された１本の後側胴回り伸縮材４３ｂとを吸収体３４のＹ方向の端部と重なる位置に配置する）。
【００５６】
次いで、内側シート２１と外側シート２２とを接着剤又は溶着等によって固定した後、接続部２３を外側シート２２のくびれていない部分に設けられたものであって、外装シート２０の前側胴回り部１０ａのＸ方向の両端部、又は後側胴回り部１０ｂのＸ方向の両端部に設けられており、内側シート２１又は外側シート２２に対して接着剤又は溶着等によって固定する。これにて、外装シート２０の製造工程は終了する。
【００５７】
次に、吸収性本体３０の取付工程については、最初にバックシート３１を外装シート２０の内側シート２１側の側面に設け、内側シート２１に対して接着剤又は溶着等によって固定する。次いで、バックシート３１における内側シート２１と対向する側面とは反対側の側面に吸収体３４を設け、バックシート３１に対して接着剤又は溶着等によって固定する。さらに、バックシート３１における吸収体３４が固定されている側面にトップシート３２を設け、内側シート２１及び吸収体３４に対して接着剤又は溶着等によって固定する。その後、トップシート３２におけるバックシート３１と対向する側面とは反対側の側面のＸ方向の両端部にフラップ３３を設ける。これにて、吸収性本体３０の取付工程は終了する。なお、上述した吸収性本体３０の取付工程においては、外装シート２０に、バックシート３１、吸収体３４、及びトップシート３２を順次取付ける方法について説明したが、例えば、バックシート３１とトップシート３２との相互間に吸収体３４を挟持した吸収性本体３０を取付けした後に、この吸収性本体３０を外装シート２０に取り付けてもよい。
【００５８】
次に、紙おむつ１の組立工程について説明する。図２、３に示すように、紙おむつ本体１０の製造工程終了後、図１の紙おむつ本体１０を展開した状態から、紙おむつ本体１０における内側シート２１側の側面が紙おむつ１の内面となり、外側シート２２側の側面が紙おむつ１の外面となるように、紙おむつ本体１０をＹ方向に折り重ねる。次に、紙おむつ本体１０を折り重ねた状態において、紙おむつ本体１０の前側胴回り部１０ａにおける接続部２３と、当該接続部２３と対向する位置にある後側胴回り部１０ｂにおける接続部２３とを、接着剤又は溶着等によって各々固定する。これにて、紙おむつ１の組立工程は終了する。
【００５９】
（実施の形態１の変形例）
この他にも、紙おむつ１は、装着者に対する装着性を向上することができるかぎりにおいて、任意の構造にて構成可能である。図４は、変形例に係る紙おむつ１の構成を示す一部破断平面図である。図５は、図４の紙おむつ１が組立てられた状態の斜視図である。この変形例では、前側胴回り伸縮材４３ａと後側胴回り伸縮材４３ｂの本数については、前側胴回り伸縮材４３ａは１２本配置されており、後側胴回り伸縮材４３ｂは４本配置されている。また、前側胴回り伸縮材４３ａの太さと後側胴回り伸縮材４３ｂの太さについては、前側胴回り伸縮材４３ａの一本あたりの太さは６２０ｄｔｅｘとし、後側胴回り伸縮材４３ｂの一本あたりの太さは１２４０ｄｔｅｘとする。また、前側胴回り伸縮材４３ａの本数が後側胴回り伸縮材４３ｂの伸度については、前側胴回り伸縮材４３ａの一本あたりの伸度は１．５〜２．５とし、後側胴回り伸縮材４３ｂの一本あたりの伸度が２．５〜３．０とする。
【００６０】
この構造によれば、後側胴回り伸縮材４３ｂの本数が実施の形態１の後側胴回り伸縮材４３ｂの本数よりも少ないので、紙おむつ本体１０の後側胴回り部１０ｂにおいては、装着者の背側と外装シート２０との接触面積をさらに増やすことができ、紙おむつ本体１０の後側胴回り部１０ｂの肌触りを向上させることができる。また、この構造によれば、実施の形態１の後側胴回り伸縮材４３ｂに比べて後側胴回り伸縮材４３ｂの太さが太いため、後側胴回り伸縮材４３ｂによって装着者の背側を圧迫するおそれがあるが、後側胴回り伸縮材４３ｂの伸度が実施の形態１の後側胴回り伸縮材４３ｂの伸度よりも高いため、装着者の背側に対する後側胴回り伸縮材４３ｂの一本あたりの負荷を小さくすることができ、後側胴回り伸縮材４３ｂによる装着者の背側の圧迫を抑えることができる。
【００６１】
（実施の形態１の効果）
このように実施の形態１によれば、複数の前側胴回り伸縮材４３ａの合計の伸長応力が複数の後側胴回り伸縮材４３ｂの合計の伸長応力と略等しくなるように、当該複数の前側胴回り伸縮材４３ａ及び当該複数の後側胴回り伸縮材４３ｂを配置したので、複数の前側胴回り伸縮材４３ａ及び複数の後側胴回り伸縮材４３ｂによって、装着者の背側と腹側を均等に締め付けることができ、排泄後の紙おむつ１の重量増加により、紙おむつ本体１０の前側胴回り部１０ａ又は後側胴回り部１０ｂの一方がずり落ちることを防止することができる。また、前側胴回り伸縮材４３ａの本数が後側胴回り伸縮材４３ｂの本数よりも多くなるように、当該複数の前側胴回り伸縮材４３ａ及び当該複数の後側胴回り伸縮材４３ｂを配置したので、後側胴回り伸縮材４３ｂごとの間隔が前側胴回り伸縮材４３ａごとの間隔よりも大きくすることができ、紙おむつ本体１０の後側胴周り部１０ｂの肌触りを向上させることができる。特に、装着者が寝ている時に、装着者の背側と紙おむつ本体１０の後側胴回り部１０ｂとが密着している時間が長くなっても、後側胴回り伸縮材４３ｂごとの間隔が前側胴回り伸縮材４３ａごとの間隔よりも大きいので、後側胴回り伸縮材４３ｂによる皮膚のかぶれが起きにくくなる。
【００６２】
また、複数の前側胴回り伸縮材４３ａの中の少なくとも一つの太さを、複数の後側胴回り伸縮材４３ｂの太さよりも細くしたので、装着者の背側に対する後側胴回り伸縮材４３ｂの一本あたりの負荷に比べて、装着者の腹側に対する前側胴回り伸縮材４３ａの一本あたりの負荷を小さくすることができ、前側胴回り伸縮材４３ａによる装着者の腹側の圧迫を抑えることができる。
【００６３】
また、複数の後側胴回り伸縮材４３ｂの中の少なくとも一つの伸度を、複数の前側胴回り伸縮材４３ａの伸度よりも大きくしたので、装着者の背側に対する後側胴回り伸縮材４３ｂの一本あたりの負荷を小さくすることができ、後側胴回り伸縮材４３ｂによる装着者の背側の圧迫を抑えることができる。
【００６４】
また、複数の前側胴回り伸縮材４３ａの少なくとも一つ又は複数の後側胴回り伸縮材４３ｂの少なくとも一つが吸収体３４の一部と重なるように、当該複数の前側胴回り伸縮材４３ａ及び当該複数の後側胴回り伸縮材４３ｂを配置したので、装着者が紙おむつ１を装着した時に、前側胴回り伸縮材４３ａ又は後側胴回り伸縮材４３ｂが引張られることにより、吸収体３４を締め付けることができ、吸収体３４を装着者の股間側に密着させることができる。
【００６５】
また、前側胴回り伸縮材４３ａの中のＹ方向の両端に位置する２つの前側胴回り伸縮材４３ａと、後側胴回り伸縮材４３ｂの中の紙おむつ１のＹ方向の両端に位置する２つの後側胴回り伸縮材４３ｂとを、相互に対応する位置に配置したので、紙おむつ１が組み立てられた時に、前側胴回り伸縮材４３ａの中の紙おむつ１のＹ方向の両端に位置する２つの前側胴回り伸縮材４３ａの一方と、後側胴回り伸縮材４３ｂの中の紙おむつ１のＹ方向の両端に位置する２つの後側胴回り伸縮材４３ｂの一方とが連続性を有することができ、かつ前側胴回り伸縮材４３ａの中の紙おむつ１のＹ方向の両端に位置する２つの前側胴回り伸縮材４３ａの他の一方と、後側胴回り伸縮材４３ｂの中の紙おむつ１のＹ方向の両端に位置する２つの後側胴回り伸縮材４３ｂの他の一方とが連続性を有することができ、前側胴回り伸縮材４３ａの本数及び後側胴回り伸縮材４３ｂの本数にかかわらず、統一性のある外観を維持することができる。
【００６６】
〔実施の形態２〕
次に、実施の形態２について説明する。この実施の形態２は、実施の形態１の腰回り伸縮材４１ごとの間隔を不均等にした形態である。
【００６７】
（構成）
図６は、実施の形態２に係る紙おむつ１の構成を示す一部破断平面図である。図７は、図６の紙おむつ１が組立てられた状態の斜視図である。実施の形態２に係る紙おむつ１は、図１〜３に示した実施の形態１の紙おむつ１とほぼ同様に構成でき、前側胴回り伸縮材４３ａ又は後側胴回り伸縮材４３ｂの配置のみが異なるため、その構成の説明は省略する。
【００６８】
前側胴回り伸縮材４３ａと後側胴回り伸縮材４３ｂの配置については、複数の前側胴回り伸縮材４３ａごとの間隔、又は複数の後胴回り伸縮材４３ｂごとの間隔が不均等になるように、複数の前側胴回り伸縮材４３ａ及び複数の後側胴回り伸縮材４３ｂが配置されている。例えば、図６、７に示すように、前側胴回り伸縮材４３ａの本数が１２本、後側胴回り伸縮材４３ｂの本数が６本の場合に、前側胴回り伸縮材４３ａごとの間隔が、紙おむつ本体１０の前側胴回り部１０ａにおける後側胴回り部１０ｂ側の端部から反対側の端部へ向かう方向に沿って狭くなるように、前側胴回り伸縮材４３ａが配置されている。また、後側胴回り伸縮材４３ｂごとの間隔が、紙おむつ本体１０の後側胴回り部１０ｂにおける前側胴回り部１０ａ側の端部から反対側の端部へ向かう方向に沿って狭くなるように、後側胴回り伸縮材４３ｂが配置されている。これにより、装着者の股間側又は装着者の尻側と外装シート２０との接触面積を大きくすることができ、紙おむつ本体１０の前側胴周り部１０ａの所定部位又は後側胴周り部１０ｂの所定部位の肌触りを一層向上させることができる。
【００６９】
（実施の形態２の変形例）
この他にも、紙おむつ１は、装着者に対する装着性を向上することができるかぎりにおいて、任意の構造にて構成可能である。図８は、変形例に係る紙おむつ１の構成を示す一部破断平面図である。図９は、図８の紙おむつ１が組立てられた状態の斜視図である。この変形例では、図８、９に示すように、前側胴回り伸縮材４３ａの本数が１２本、後側胴回り伸縮材４３ｂの本数が６本の場合であって、前側胴回り伸縮材４３ａの中のＹ方向の両端に位置する２つの前側胴回り伸縮材４３ａと、後側胴回り伸縮材４３ｂの中のＹ方向の両端に位置する２つの後側胴回り伸縮材４３ｂとが、仮想基準位置Ａ〜Ｄに基づいて相互に対応する位置に配置されている。そして、複数の後側胴回り伸縮材４３ｂの中の後側胴回り伸縮材４３ｂの中のＹ方向の両端に位置する２つの後側胴回り伸縮材４３ｂ以外の後側胴回り伸縮材４３ｂが、仮想基準位置Ｃから仮想基準位置Ｄに向かう方向に沿って、当該後側胴回り伸縮材４３ｂと同じ間隔ごとに配置された複数の前側胴回り伸縮材４３ａの一部と対応するように配置されている（すなわち、図８では、後側胴回り伸縮材４３ｂは仮想基準位置Ｃ側に片寄って配置されている）。
【００７０】
この構造によれば、紙おむつ本体１０の後側胴回り部１０ｂにおける装着者の尻側にあたる部分に後側胴回り伸縮材４３ｂを配置しないので、装着者の尻側と外装シート２０との接触面積をより大きくすることができ、紙おむつ本体１０の後側胴周り部１０ｂの所定部位の肌触りを一層向上させることができる。
【００７１】
（実施の形態２の効果）
また、複数の前側胴回り伸縮材４３ａごとの間隔、又は複数の後側胴回り伸縮材４３ｂごとの間隔を不均等にするので、紙おむつ本体１０の前側胴回り部１０ａの各部位又は後側胴回り部１０ｂの各部位ごとに、後側胴回り伸縮材４３ｂの間隔又は前側胴回り伸縮材４３ａの間隔の大小をつけることができ、紙おむつ本体１０の前側胴周り部１０ａの所定部位又は後側胴周り部１０ｂの所定部位の肌触りを一層向上させることができる。
【００７２】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００７３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７４】
（接続部について）
各実施の形態では、紙おむつ本体１０の前側胴回り部１０ａ及び後側胴回り部１０ｂにおけるＸ方向の両端部に接続部２３が設けられているが、これに限られない。例えば、接続部２３を設けずに、紙おむつ１の組み立ての際に、紙おむつ本体１０の前側胴回り部１０ａの外装シート２０のいずれか一方の側面と後側胴回り部１０ｂの外装シート２０のいずれか一方の側面とを当接して、これら外装シート２０同士を接着剤又は溶着等によって固定してもよい。
【００７５】
（伸縮材について）
各実施の形態では、内側シート２１と外側シート２２の相互間においては、腰回り伸縮材４１、脚回り伸縮材４２又は胴回り伸縮材４３は、連続状に配置されていると説明したが、これに限られない。例えば、これら腰回り伸縮材４１、脚回り伸縮材４２又は胴回り伸縮材４３を、断続状に配置してもよい。
【００７６】
（胴回り伸縮材の太さと伸度について）
各実施の形態では、複数の前側胴回り伸縮材４３ａの太さと伸度、又は複数の後側胴回り伸縮材４３ｂの太さと伸度を各々同じであると説明したが、これに限られない。例えば、複数の後側胴回り伸縮材４３ａの一部と、複数の後側胴回り伸縮材４３ｂの他の一部の太さと伸度を異なるものにしてもよい。これにより、紙おむつ本体１０の後側胴回り部１０ｂのうち肌かぶれが生じやすい部位近傍に配置される後側胴回り伸縮材４３ｂの太さを細くし、かつ伸度を大きくすることで、後側胴回り伸縮材４３ｂによる肌かぶれが一層起きにくくなる。
【００７７】
（その他の紙おむつの構造及び製造方法について）
その他、紙おむつ１の構造及び製造方法については、上記説明した技術的思想に逸脱しない範囲で、任意に変更することが可能である。
（付記）
付記１の紙おむつは、装着者の胴回りのうち当該装着者の腹側を覆う前側胴回り部と、当該装着者の背側を覆う後側胴回り部とを有する紙おむつであって、前記前側胴回り部において、当該前側胴回り部から前記後側胴回り部へ向かう長さ方向に略直交する方向である幅方向に沿って複数設けられたものであって、当該前側胴回り部を伸縮させるための前側伸縮部材と、前記後側胴回り部において、当該後側胴回り部の前記幅方向に沿って複数設けられたものであって、当該後側胴回り部を伸縮させるための後側伸縮部材とを備え、前記複数の前側伸縮部材の合計の伸長応力が前記複数の後側伸縮部材の合計の伸長応力と略等しくなるように、かつ、前記前側伸縮部材の本数が前記後側伸縮部材の本数よりも多くなるように、当該複数の前側伸縮部材及び当該複数の後側伸縮部材を配置する。
付記２の紙おむつは、付記１の紙おむつにおいて、前記後側伸縮部材の本数より前記前側伸縮部材の本数を多くし、前記複数の前側伸縮部材の中の少なくとも一つの太さを、前記複数の後側伸縮部材の太さよりも細くする。
付記３の紙おむつは、付記１又は２の紙おむつにおいて、前記後側伸縮部材の本数より前記前側伸縮部材の本数を多くし、前記複数の後側伸縮部材の中の少なくとも一つの伸度を、前記複数の前側伸縮部材の伸度よりも大きくする。
付記４の紙おむつは、付記１から３のいずれか一項の紙おむつにおいて、透過性シートと、不透過性シートと、これら透過性シートと不透過性シートとの相互間に配置された吸収体とを備え、前記複数の前側伸縮部材の少なくとも一つ又は前記複数の後側伸縮部材の少なくとも一つが前記吸収体の一部と重なるように、当該複数の前側伸縮部材及び当該複数の後側伸縮部材を配置する。
付記５の紙おむつは、付記１から４のいずれか一項の紙おむつにおいて、前記前側伸縮材の中の前記長さ方向の両端に位置する２つの前側伸縮材と、前記後側伸縮材の中の前記長さ方向の両端に位置する２つの後側伸縮材とを、相互に対応する位置に配置する。
付記６の紙おむつは、付記１から５のいずれか一項の紙おむつにおいて、前記後側伸縮部材の本数より前記前側伸縮部材の本数を多くし、前記複数の前側伸縮部材ごとの間隔、又は前記複数の後側伸縮部材ごとの間隔を不均等にする。
（付記の効果）
付記１に記載の紙おむつによれば、複数の前側伸縮部材の合計の伸長応力が複数の後側伸縮部材の合計の伸長応力と略等しくなるように、当該複数の前側伸縮部材及び当該複数の後側伸縮部材を配置したので、複数の前側伸縮部材及び複数の後側伸縮部材によって、装着者の背側と腹側を均等に締め付けることができ、排泄後の紙おむつの重量増加により、前側胴回り部又は後側胴回り部の一方がずり落ちることを防止することができる。また、前側伸縮部材の本数が後側伸縮部材の本数よりも多くなるように、当該複数の前側伸縮部材及び当該複数の後側伸縮部材を配置したので、後側伸縮部材ごとの間隔が前側伸縮部材ごとの間隔よりも大きくすることができ、後側胴回り部の肌触りを向上させることができる。特に、装着者が寝ている時に、装着者の背側と後側胴回り部とが密着している時間が長くなっても、後側伸縮部材ごとの間隔が前側伸縮部材ごとの間隔よりも大きいので、後側伸縮部材による皮膚のかぶれが起きにくくなる。
付記２に記載の紙おむつによれば、複数の前側伸縮部材の中の少なくとも一つの太さを、複数の後側伸縮部材の太さよりも細くしたので、装着者の背側に対する後側伸縮部材の一本あたりの負荷に比べて、装着者の腹側に対する前側伸縮部材の一本あたりの負荷を小さくすることができ、前側伸縮部材による装着者の腹側の圧迫を抑えることができる。
付記３に記載の紙おむつによれば、複数の後側伸縮部材の中の少なくとも一つの伸度を、複数の前側伸縮部材の伸度よりも大きくしたので、装着者の背側に対する後側伸縮部材の一本あたりの負荷を小さくすることができ、後側伸縮部材による装着者の背側の圧迫を抑えることができる。
付記４に記載の紙おむつによれば、複数の前側伸縮部材の少なくとも一つ又は複数の後側伸縮部材の少なくとも一つが吸収体の一部と重なるように、当該複数の前側伸縮部材及び当該複数の後側伸縮部材を配置したので、装着者が紙おむつを装着した時に、前側伸縮部材又は後側伸縮部材が引張られることにより、吸収体を締め付けることができ、吸収体を装着者の股間側に密着させることができる。
付記５に記載の紙おむつによれば、前側伸縮部材の中の紙おむつの長さ方向の両端に位置する２つの前側伸縮部材と、後側伸縮部材の中の紙おむつの長さ方向の両端に位置する２つの後側伸縮部材とを、相互に対応する位置に配置したので、紙おむつが組み立てられた時に、前側伸縮部材の中の紙おむつの長さ方向の両端に位置する２つの前側伸縮部材の一方と、後側伸縮部材の中の紙おむつの長さ方向の両端に位置する２つの後側伸縮部材の一方とが連続性を有することができ、かつ前側伸縮部材の中の紙おむつの長さ方向の両端に位置する２つの前側伸縮部材の他の一方と、後側伸縮部材の中の紙おむつの長さ方向の両端に位置する２つの後側伸縮部材の他の一方とが連続性を有することができ、前側胴回り伸縮部材の本数及び後側胴回り伸縮部材の本数にかかわらず、統一性のある外観を維持することができる。
付記６に記載の紙おむつによれば、複数の前側伸縮部材ごとの間隔、又は複数の後側伸縮部材ごとの間隔を不均等にしたので、前側胴回り部の各部位又は後側胴回り部の各部位ごとに、後側伸縮部材の間隔又は前側伸縮部材の間隔の大小をつけることができ、前側胴回り部又は後側胴回り部の所定部位の肌触りを一層向上させることができる。
【符号の説明】
【００７８】
１  紙おむつ
１０  紙おむつ本体
１０ａ  前側胴回り部
１０ｂ  後側胴回り部
２０  外装シート
２１  内側シート
２２  外側シート
２３  接続部
３０  吸収性本体
３１  バックシート
３２  トップシート
３３  フラップ
３３ａ  フラップ伸縮材
３４  吸収体
４０  伸縮材
４１  腰回り伸縮材
４１ａ  前側腰回り伸縮材
４１ｂ  後側腰回り伸縮材
４２  脚回り伸縮材
４２ａ  前側脚回り伸縮材
４２ｂ  後側脚回り伸縮材
４３  胴回り伸縮材
４３ａ  前側胴回り伸縮材
４３ｂ  後側胴回り伸縮材
【図１】
0005877958.tif 000002
【図２】
0005877958.tif 000003
【図３】
0005877958.tif 000004
【図４】
0005877958.tif 000005
【図５】
0005877958.tif 000006
【図６】
0005877958.tif 000007
【図７】
0005877958.tif 000008
【図８】
0005877958.tif 000009
【図９】
0005877958.tif 000010